(57)【特許請求の範囲】
【請求項１】
巻取方向に回転することでウェビングを基端側から巻取って格納すると共に、中心軸線から回転半径方向に離れた位置に挿込孔が形成され、当該挿込孔が軸方向一端にて開口したスプールと、
前記スプールの軸方向一端側で前記スプールに対して同軸的に回転可能に取り付けられる回転体と、
先端側のエネルギー吸収部が前記挿込孔に挿し込まれると共に基端側の被保持部が前記回転体に保持され、前記回転体に対して前記スプールが前記巻取方向とは反対の引出方向へ相対回転することにより前記挿込孔から引き出されつつ前記挿込孔の開口縁にてしごかれて変形するエネルギー吸収部材と、
を備え、更に、
前記エネルギー吸収部を前記挿込孔に挿し込むと共に前記被保持部を前記回転体に保持させた状態で、前記スプールの回転中心に対して前記回転体の回転中心が前記スプールの軸直交方向にずれるように設定し、
前記エネルギー吸収部に前記挿込孔が挿し込まれて前記被保持部が前記回転体に保持された状態から前記スプールに前記回転体を取り付けることで、前記スプールに対して前記回転体が同軸となるウェビング巻取装置。
【請求項２】
前記スプール及び前記回転体の何れかの一方へ向けて開口するように前記何れかの他方に形成された凹部と、
前記凹部に嵌め込み可能に前記何れかの一方に形成され、前記スプールに対して前記回転体が同軸となった状態で前記凹部に嵌め込まれ、前記凹部に嵌め込まれることで前記スプールに対する前記回転体の前記軸直交方向への変位を規制すると共に、前記回転体に対する前記スプールの相対回転が生じることで破断する凸部と、
を備える請求項１に記載のウェビング巻取装置。
【請求項３】
前記凸部における先端側及び前記凹部における開口端側の少なくとも何れかの一方に形成され、前記エネルギー吸収部が前記挿込孔に挿し込まれると共に前記被保持部が前記回転体に保持されて前記スプールの回転中心に対して前記回転体の回転中心が前記スプールの軸直交方向にずれた状態では、前記凸部の先端及び前記凹部の開口端の何れかの他方に対して前記軸方向に対向し、前記軸方向に前記何れかの他方を押圧し、又は、前記軸方向に前記何れかの他方から押圧されることで、前記軸直交方向における前記凹部に前記凸部が嵌合する向きに前記何れかの他方に押し返され、又は、前記嵌合する向きに前記何れかの他方を押し返す誘導斜面を備える請求項２に記載のウェビング巻取装置。
【発明の詳細な説明】
【技術分野】
【０００１】
本発明は、車両急減速時にスプールを強制的に回転させてウェビングを巻き取るプリテンショナを有するウェビング巻取装置に関する。
【背景技術】
【０００２】
下記特許文献１に開示されたウェビング巻取装置は、ロックギヤ（特許文献１では「ロック部材」と称している）の引出方向への回転が規制された状態でスプールが引出方向に回転した際に、挿通孔から引き出されつつ挿通孔の開口縁でしごかれて変形するワイヤを備えている。このワイヤはその長手方向中間部にて適宜に屈曲していることで挿通孔の内周部やロックギヤに圧接している。これにより、ワイヤの不用意な変位が防止され、ワイヤが不用意に変位して挿通孔の内周部に衝突することに起因する異音の発生を防できる。
【先行技術文献】
【特許文献】
【０００３】
【特許文献１】特開２００６−２０５８２０の公報
【発明の概要】
【発明が解決しようとする課題】
【０００４】
ところで、この種のロックギヤには、例えば、スプールの内側に設けられたトーションシャフトが貫通し、トーションシャフトのロックギヤ側の係合部が、ロックギヤのスプールとは反対から係合する。トーションシャフトのロックギヤとは反対側の端部は、ねじ（スクリュー）が取り付けられ、このねじに対してスプールが干渉することでトーションシャフトがロックギヤ側へ移動することが規制されて、ロックギヤがスプールから離間することが規制される。
【０００５】
しかしながら、ワイヤがロックギヤに圧接していることで、ロックギヤはスプールの軸方向にスプールから離間しようとする。このため、スプールにロックギヤを組み付けた後に一時的にスプールからロックギヤが浮いた状態になる。この浮いたときにも係止されるためには、ねじの長さが余分に必要になり、ねじの締め付けに時間がかかる。また、ねじの長さを長くしない場合には、浮いた状態のロックギヤを押さえ込みながらねじを締める必要があった。
【０００６】
本発明は、上記事実を考慮して、挿通孔内でのワイヤの不用意な変位を防止又は抑制でき、更に、スプールから離間する向きへのロックギヤ等の回転体の変位を防止又は抑制できるウェビング巻取装置を得ることが目的である。
【課題を解決するための手段】
【０００７】
請求項１に記載の本発明に係るウェビング巻取装置は、巻取方向に回転することでウェビングを基端側から巻取って格納すると共に、中心軸線から回転半径方向に離れた位置に挿込孔が形成され、当該挿込孔が軸方向一端にて開口したスプールと、前記スプールの軸方向一端側で前記スプールに対して同軸的に回転可能に取り付けられる回転体と、先端側のエネルギー吸収部が前記挿込孔に挿し込まれると共に基端側の被保持部が前記回転体に保持され、前記回転体に対して前記スプールが前記巻取方向とは反対の引出方向へ相対回転することにより前記挿込孔から引き出されつつ前記挿込孔の開口縁にてしごかれて変形するエネルギー吸収部材と、を備え、更に、前記エネルギー吸収部を前記挿込孔に挿し込むと共に前記被保持部を前記回転体に保持させた状態で、前記スプールの回転中心に対して前記回転体の回転中心が前記スプールの軸直交方向にずれるように設定し、前記エネルギー吸収部に前記挿込孔が挿し込まれて前記被保持部が前記回転体に保持された状態から前記スプールに前記回転体を取り付けることで、前記スプールに対して前記回転体が同軸となるように設定されている。
【０００８】
請求項１に記載の本発明に係るウェビング巻取装置では、スプールの軸方向一端側でスプールに対して同軸的に回転可能な回転体に、エネルギー吸収部材の基端側の被保持部が保持される。これに対して、エネルギー吸収部材の先端側のエネルギー吸収部はスプールに形成された挿込孔に挿し込まれる。基端側の被保持部が保持される。回転体の回転が規制された状態でスプールが引出方向に回転すると、スプールの挿込孔にからエネルギー吸収部が引き出されつつ挿込孔の開口縁でエネルギー吸収部がしごかれて変形する。スプールを引出方向に回転させようとする力の一部は、エネルギー吸収部材におけるエネルギー吸収部に供されて、これにより、スプールを引出方向に回転させようとする力の一部が吸収される。
【０００９】
一方、本発明に係るウェビング巻取装置では、エネルギー吸収部材のエネルギー吸収部をスプールの挿込孔に挿し込むと共に、エネルギー吸収部材の被保持部を回転体に保持させた状態では、スプールの回転中心に対して回転体の回転中心がスプールの軸直交方向にずれるようにエネルギー吸収部材のエネルギー吸収部に対する被保持部の位置や、挿し込み孔に対する回転体の被保持部を保持する位置等が設定される。
【００１０】
このように、エネルギー吸収部材のエネルギー吸収部がスプールの挿込孔に挿し込まれて、エネルギー吸収部材の被保持部が回転体に保持された状態から、スプールに回転体を取り付けてスプールに対して回転体を同軸とすると、エネルギー吸収部材のエネルギー吸収部が弾性によって挿込孔の内周部に圧接する。したがって、挿込孔の内周部に対してエネルギー吸収部材のエネルギー吸収部が接離するように変位することで挿込孔の内周部にエネルギー吸収部が衝突することに起因する異音の発生を防止できる。
【００１１】
しかも、この状態でのエネルギー吸収部材に生じる弾性力は、スプールに対して回転体をスプールの回転周方向や回転半径方向に変位させるように作用するので、スプールに対して回転体がスプールの軸方向に離間することはなく、回転体やエネルギー吸収部材が不用意に外れることがない。
【００１２】
請求項２に記載の本発明に係るウェビング巻取装置は、請求項１に記載の本発明において、前記スプール及び前記回転体の何れかの一方へ向けて開口するように前記何れかの他方に形成された凹部と、前記凹部に嵌め込み可能に前記何れかの一方に形成され、前記スプールに対して前記回転体が同軸となった状態で前記凹部に嵌め込まれ、前記凹部に嵌め込まれることで前記スプールに対する前記回転体の前記軸直交方向への変位を規制すると共に、前記回転体に対する前記スプールの相対回転が生じることで破断する凸部と、を備えている。
【００１３】
請求項２に記載の本発明に係るウェビング巻取装置では、エネルギー吸収部材のエネルギー吸収部をスプールの挿込孔に挿し込むと共に、エネルギー吸収部材の被保持部を回転体に保持させた状態では、スプールの回転中心に対して回転体の回転中心がスプールの軸直交方向にずれる。
【００１４】
この状態で、スプールと回転体とを同軸にすると、スプール及び回転体の何れかの一方に形成された凹部と何れかの他方に形成された凸部とが嵌め込み可能になり、凸部が凹部に嵌め込まれると、スプールに対する回転体のスプール軸直交方向への変位が規制される。このように、凸部が凹部に嵌め込まれた状態で回転体に対してスプールが引出方向に回転すると、凸部が破断してスプールに対する回転体の変位規制が解消されると共に、挿込孔からエネルギー吸収部が引き出されつつ挿込孔の開口縁でエネルギー吸収部がしごかれて変形する。
【００１５】
ここで、エネルギー吸収部材におけるエネルギー吸収部の弾性に抗してスプールに対し回転体を同軸に配置しても、凹部に凸部を嵌め込むことでスプールに対する回転体の移動が規制される。このため、スプールに対して回転体を容易に同軸とすることができ、しかも、この同軸状態を維持できる。
【００１６】
請求項３に記載の本発明に係るウェビング巻取装置は、請求項２に記載の本発明において、前記凸部における先端側及び前記凹部における開口端側の少なくとも何れかの一方に形成され、前記初期取付位置に前記回転体が取り付けられずに前記スプール及び前記回転体の双方に前記エネルギー吸収部材が取り付けられた状態では、前記凸部の先端及び前記凹部の開口端の何れかの他方に対して前記軸方向に対向し、前記軸方向に前記何れかの他方を押圧し、又は、前記軸方向に前記何れかの他方から押圧されることで、前記軸直交方向における前記凹部に前記凸部が嵌合する向きに前記何れかの他方に押し返され、又は、前記嵌合する向きに前記何れかの他方を押し返す誘導斜面を備えている。
【００１７】
請求項３に記載の本発明に係るウェビング巻取装置によれば、エネルギー吸収部材のエネルギー吸収部をスプールの挿込孔に挿し込むと共に、エネルギー吸収部材の被保持部を回転体に保持させた状態では、スプールの回転中心に対して回転体の回転中心がスプールの軸直交方向にずれている。凹部と凸部とはスプールに対して回転体が同軸となった状態で嵌め込みが可能であるため、上記のように、スプールの回転中心に対して回転体の回転中心がスプールの軸直交方向にずれているのであれば、凹部に対して凸部がスプールの軸直交方向にずれている。
【００１８】
但し、この状態では、凸部におけるスプールの軸方向中間部から先端までの間、及び、凹部におけるスプールの軸方向中間部から開口端までの間の少なくとも何れかの一方に形成された誘導斜面が凸部の先端及び凹部の開口端の何れかの他方に対してスプールの軸方向に対向する。
【００１９】
誘導斜面が凸部の先端側に形成されている場合には、スプールの軸方向に回転体をスプールに接近させることで凹部の開口端が誘導斜面に当接し、この状態で更にスプールの軸方向に回転体をスプールに接近させると、凹部の開口端により誘導斜面がスプールの軸方向に押圧され、又は、誘導斜面が凹部の開口端をスプールの軸方向に押圧する。凹部の開口端が誘導斜面を押圧することで誘導斜面が凹部の開口端に付与する押圧反力の向き、又は、誘導斜面が凹部の開口端を押圧した際の押圧力の向きはスプールの軸方向に対して直交し、しかも、凹部に凸部を嵌合させる向きとなる。このようにして誘導斜面が凹部の開口端を押圧し、又は、凹部の開口端から誘導斜面が押圧されることで、凹部に凸部が嵌合させられる向きに誘導されて、凹部に凸部が嵌め込まれる。
【００２０】
一方、誘導斜面が凹部の開口端側に形成されている場合には、スプールの軸方向に回転体をスプールに接近させることで凸部の先端が誘導斜面に当接し、この状態で更にスプールの軸方向に回転体をスプールに接近させると、凸部の先端により誘導斜面がスプールの軸方向に押圧され、又は、誘導斜面が凸部の先端をスプールの軸方向に押圧する。凸部の先端が誘導斜面を押圧することで誘導斜面が凸部の先端に付与する押圧反力の向き、又は、誘導斜面が凸部の先端を押圧した際の押圧力の向きはスプールの軸方向に対して直交し、しかも、凹部に凸部を嵌合させる向きとなる。このようにして誘導斜面が凸部の先端を押圧し、又は、凸部の先端から誘導斜面が押圧されることで、凹部に凸部が嵌合させられる向きに誘導されて、凹部に凸部が嵌め込まれる。
【００２１】
したがって、上記のように、スプールの回転中心に対して回転体の回転中心がスプールの軸直交方向にずれていることで、凹部に対して凸部がスプールの軸直交方向にずれていても、容易に凹部に凸部を嵌合させることができる。
【００２２】
なお、本発明において誘導斜面は凸部の先端側及び凹部の開口端側のうちの一方にのみ形成してもよいし、誘導斜面を凸部の先端側と凹部の開口端側との双方に形成してもよい。
【発明の効果】
【００２３】
以上説明したように、本発明に係るウェビング巻取装置は、挿通孔内でのワイヤの不用意な変位を防止又は抑制でき、しかも、スプールから離間する向きへの回転体の変位を防止又は抑制できる。
【図面の簡単な説明】
【００２４】
【図１】第１の実施の形態に係るウェビング巻取装置の要部の構成を概略的に示す分解斜視図である。
【図２】第１の実施の形態に係るウェビング巻取装置の要部の構成を概略的に示す側面図で、回転体が初期取付位置に移動する前の状態を示す図である。
【図３】図２の３−３線に沿った適宜断面図である。
【図４】回転体が初期取付位置に到達した状態を示す図２に対応した側面図である。
【図５】図４の５−５に沿った適宜断面図である。
【図６】回転体に対してスプールが引出方向に回転した状態を示す図４に対応した側面図である。
【図７】図６の７−７に沿った適宜断面図である。
【図８】第２の実施の形態に係るウェビング巻取装置の要部の構成を概略的に示す図２に対応した側面図である。
【図９】回転体が初期取付位置に到達した状態を示す図８に対応した側面図である。
【図１０】回転体の側面図である。
【図１１】（Ａ）は第２の実施の形態で用いるエネルギー吸収部材の正面図で、（Ｂ）は第２の実施の形態で用いるエネルギー吸収部材の側面図である。
【発明を実施するための形態】
【００２５】
以下、図１から図１１の各図を用いて本発明の各実施の形態について説明する。なお、以下の各実施の形態を説明するにあたり、説明している実施の形態よりも前出の実施の形態と基本的に同一の部位に関しては、前出の実施の形態にて用いた符号と同一の符号を付与してその詳細な説明を省略する。
【００２６】
＜第１の実施の形態の構成＞
図１にはウェビング巻取装置１０の要部の構成が分解斜視図により示されている。
【００２７】
この図に示されるように、ウェビング巻取装置１０は車体の所定部位に締結固定されるフレーム１２を備えている。このフレーム１２は一対の脚板１４、１６を備えている。脚板１４、１６の各々は平板状に形成されており、各々の厚さ方向に互いに対向している。脚板１４と脚板１６との間にはスプール１８が配置されている。スプール１８は軸方向が脚板１４と脚板１６との対向方向に沿った略円柱形状に形成されており、自らの中心軸線周りに回転可能とされている。
【００２８】
スプール１８には長尺帯状のウェビング２０の長手方向基端部が係止されている。スプール１８は自らの中心軸線周り一方である巻取方向に回転すると、ウェビング２０をその長手方向基端側から外周部に層状に巻取る。また、ウェビング２０を先端側へ引っ張るとスプール１８に巻取られているウェビング２０が引出されると共にスプール１８が巻取方向とは反対の引出方向に回転する。
【００２９】
脚板１６の側方（脚板１６を介して脚板１４とは反対側）にはロック手段としてのロック機構３０を構成する回転体としてのロックギヤ３４が設けられている。ロックギヤ３４は軸方向寸法が比較的短い円柱状の嵌挿部３６を備えている。嵌挿部３６に対応してスプール１８には嵌挿孔３８が形成されている。嵌挿孔３８は内周形状がスプール１８に対して同軸の円形とされてスプール１８の脚板１６側の端面にて開口している。嵌挿孔３８の内径寸法は嵌挿部３６の外径寸法よりも極僅かに大きく、嵌挿孔３８に嵌挿部３６が嵌挿された状態では、スプール１８の中心軸線周りにスプール１８に対してロックギヤ３４が自在に回転できる。
【００３０】
また、ロックギヤ３４はラチェット部４０を備えている。ラチェット部４０は外歯のラチェットホイールとされており、嵌挿部３６に対して同軸的に形成され、嵌挿部３６が嵌挿孔３８に嵌挿された状態ではスプール１８の脚板１６側の端面に隣接する。ロックギヤ３４の回転半径方向に沿ったラチェット部４０の側方では、ロック機構３０を構成するロックプレート４２がスプール１８の軸方向と同じ向きを軸方向とする軸周りに回動自在に脚板１６に支持されている。
【００３１】
ロックプレート４２は回動することでラチェット部４０の外周部に対して接離する。また、ロックプレート４２にはラチェット部４０の外周部に形成されたラチェット部４０のラチェット歯に噛合可能なロックプレート４２のロック歯が形成されており、ラチェット部４０の外周部に対して接近する向きにロックプレート４２が回動すると、図６に示されるように、ラチェット部４０のラチェット歯にロックプレート４２のロック歯が噛み合う。ラチェット部４０のラチェット歯にロックプレート４２のロック歯が噛み合った状態では、ラチェット部４０、すなわち、ロックギヤ３４の引出方向への回転が規制される。
【００３２】
また、このロックプレート４２の他にロック機構３０は、車両が急減速状態になった場合に作動してラチェット部４０に接近させる向きにロックプレート４２を回動させる所謂「ＶＳＩＲ機構」やスプール１８の引出方向への回転加速度が所定の大きさ以上になった場合に作動してラチェット部４０に接近させる向きにロックプレート４２を回動させる所謂「ＷＳＩＲ機構」等を構成する各種部品を備えている。
【００３３】
一方、スプール１８には貫通孔が同軸的に形成され、その一端は嵌挿孔２４の底部にて開口し、他端は嵌挿孔３８の底部にて開口している。貫通孔の内側には、後述するエネルギー吸収部材としてのエネルギー吸収ワイヤ７２とは別に設けられたエネルギー吸収手段として連結部材を構成するトーションシャフト５４が設けられている。トーションシャフト５４は脚板１４側の端部にてスプール１８に対して相対回転が規制された状態（実質的に相対回転が不能な状態）でスプール１８に繋がっている。
【００３４】
また、トーションシャフト５４は脚板１６側の端部にて嵌挿部３６（ロックギヤ３４）に対するスプール１８の中心軸線周りの相対回転が規制された状態（実質的に相対回転が不能な状態）で嵌挿部３６（ロックギヤ３４）に繋がっている。すなわち、上記のように、ロックギヤ３４はスプール１８の中心軸線周りにスプール１８に対して相対回転可能に嵌挿部３６が嵌挿孔３８に嵌挿されているものの、トーションシャフト５４がスプール１８及びロックギヤ３４の双方に対してスプール１８の中心軸線周りの相対回転が可能であることから、基本的にロックギヤ３４はスプール１８に対して相対回転が不能で、スプール１８と共にロックギヤ３４が一体的に回転し、ロックプレート４２のロック歯がラチェット部４０のラチェット歯に噛み合えば、引出方向へのスプール１８の回転が規制される。
【００３５】
一方、図１から図３の各図に示されるように、スプール１８の脚板１６側の端部には収容孔６２が形成されている。図１及び図２に示されるように、収容孔６２はスプール１８の中心軸線に対して同軸の円形とされており、スプール１８の脚板１６側の端面にて開口している。さらに、図１から図３の各図に示されるように、スプール１８には挿込孔６４が形成されている。挿込孔６４は、一端がスプール１８の脚板１４側の端面にて開口しており、他端が収容孔６２の底部にて開口している。挿込孔６４の一端から他端への向きはスプール１８の中心軸線の向きと同じ向きとされている。
【００３６】
また、図１から図３の各図に示されるように、本ウェビング巻取装置１０はエネルギー吸収部材としてのエネルギー吸収ワイヤ７２を備えている。エネルギー吸収ワイヤ７２はエネルギー吸収部７４を備えている。エネルギー吸収部７４は先端が先細テーパ状に形成された断面円形の棒形状とされている。
【００３７】
テーパ状とされた部分以外はエネルギー吸収部７４の外径寸法が挿込孔６４の内径寸法以下とされている。エネルギー吸収部７４の基端部には棒状部７６の一端部が繋がっている。棒状部７６は外径寸法がエネルギー吸収部７４の外径寸法に略等しい棒状とされ、長手方向がエネルギー吸収部７４の長手方向に対して直交している。棒状部７６の他端部には被保持部７８を構成する小径部８０の先端部が繋がっている。
【００３８】
小径部８０は軸方向基端部から先端部への向きがエネルギー吸収部７４の軸方向基端部から先端部への向き同じ向きとされた棒状で、その外径寸法は棒状部７６の外径寸法に略等しい。この小径部８０の基端部には小径部８０と共に被保持部７８を構成する頭部８２が形成されている。頭部８２は小径部８０に対して同軸の円板形状又は円柱形状とされており、その外径寸法は小径部８０の外径寸法よりも十分に大きい。
【００３９】
図３に示されるように、この小径部８０及び頭部８２に対応してロックギヤ３４のラチェット部４０には係止孔９２が形成されている。係止孔９２は大径孔部９４を備えている。大径孔部９４はラチェット部４０におけるスプール１８とは反対側の面にて開口した有底の孔とされており、軸方向はロックギヤ３４の軸方向と同じ向きで、その内径寸法は頭部８２の外径寸法よりも僅かに大きい。
【００４０】
また、係止孔９２は小径孔部９６を備えている。小径孔部９６は大径孔部９４に対して同軸的に形成された孔で、その一端はラチェット部４０におけるスプール１８側の面にて開口し、他端は大径孔部９４の底部にて開口している。小径孔部９６の内径寸法は被保持部７８の小径部８０よりも僅かに大きく、被保持部７８の頭部８２よりも小さく設定されている。エネルギー吸収ワイヤ７２の被保持部７８は、小径部８０は係止孔９２の小径孔部９６を通過して、頭部８２が大径孔部９４内に収容されている。
【００４１】
このため、エネルギー吸収ワイヤ７２のエネルギー吸収部７４が挿込孔６４に挿通されていない状態では、被保持部７８及び係止孔９２の中心軸線周りにエネルギー吸収ワイヤ７２はロックギヤ３４に対して相対回転可能であるが、ロックギヤ３４に対してスプール１８側へエネルギー吸収ワイヤ７２が移動しようとすると、大径孔部９４の底部が頭部８２に干渉してエネルギー吸収ワイヤ７２の移動を規制する。これにより、係止孔９２からスプール１８側へのエネルギー吸収ワイヤ７２の抜けが防止されている。
【００４２】
また、図２及び図３に示されるように、上記の挿込孔６４の中間部には段部９８が形成されている。段部９８は係止孔９２にエネルギー吸収ワイヤ７２の被保持部７８を挿し込むと共に挿込孔６４にエネルギー吸収ワイヤ７２のエネルギー吸収部７４を挿し込んだ状態でエネルギー吸収部７４の巻取方向に位置するように形成されており、この段部９８から挿込孔６４の収容孔６２側の開口端までの間では、挿込孔６４の内周形状が円形ではなく略小判形状とされ、挿込孔６４における段部９８よりも脚板１４側に比べてスプール１８の周方向に沿った開口幅が大きくなっている。
【００４３】
一方、図２及び図３に示されるように、スプール１８のラチェット部４０と対向する面における収容孔６２の外側には、凸部として規制手段を構成する位置決め突起１０２がスプール１８の軸方向と同じ向きに突出形成されている。図３に示されるように、位置決め突起１０２は円柱形状の突起本体１０４を備えている。この突起本体１０４の先端からは連続してテーパ部１０６が形成されている。テーパ部１０６は突起本体１０４に対して同軸の円錐台形状とされており、その先端へ向けて（すなわち、突起本体１０４とは反対側へ向けて）漸次外径寸法が小さくなっている。このテーパ部１０６の外周面は突起側誘導斜面１０８とされている。
【００４４】
これに対して、図２及び図３に示されるように、ラチェット部４０には凹部として規制手段を構成する位置決め孔１２２が形成されている。図３に示されるように、位置決め孔１２２は内周形状が円形の孔本体１２４を備えている。この孔本体１２４は、その内径寸法が位置決め突起１０２の突起本体１０４の外径寸法よりも僅かに大きく、ラチェット部４０のスプール１８とは反対側の端部にて開口している。また、位置決め孔１２２はテーパ孔部１２６を備えている。
【００４５】
テーパ孔部１２６は孔本体１２４に対して同軸的に形成されており、一端がラチェット部４０のスプール１８側の端部にて開口していると共に他端が孔本体１２４に繋がっている。テーパ孔部１２６は孔本体１２４側の端部の内径寸法は孔本体１２４の内径寸法と同じであるが、孔本体１２４とは反対側（すなわち、スプール１８側）へ向けて漸次内径寸法が大きくなる円錐台形状とされており、このテーパ孔部１２６の内周面は孔本体１２４とされている。
【００４６】
ここで、図４及び図５に示されるように、位置決め孔１２２の孔本体１２４へは位置決め突起１０２の突起本体１０４を嵌挿可能であるが、図２及び図３に示されるように、位置決め孔１２２の孔本体１２４に位置決め突起１０２の突起本体１０４を嵌挿していない状態で、係止孔９２にエネルギー吸収ワイヤ７２の被保持部７８を挿し込み、エネルギー吸収ワイヤ７２のエネルギー吸収部７４をスプール１８の挿込孔６４に挿し込むと、位置決め突起１０２の中心軸線に対して位置決め孔１２２の中心軸線が巻取方向側にずれると共に突起側誘導斜面１０８の引出方向側の一部と孔部側誘導斜面１２８の引出方向側の一部とがスプール１８の軸方向に対向するようにスプール１８における挿込孔６４や位置決め突起１０２の形成位置、ラチェット部４０における係止孔９２や位置決め孔１２２の形成位置、更には、エネルギー吸収ワイヤ７２の棒状部７６の長さ等が設定されている。
【００４７】
＜第１の実施の形態の作用、効果＞
次に、第１の実施の形態の作用並びに効果について説明する。
【００４８】
（組み立て面での作用、効果）
本ウェビング巻取装置１０においてスプール１８にロックギヤ３４を組み付けるに際しては、ロックギヤ３４に形成された係止孔９２にエネルギー吸収ワイヤ７２の被保持部７８を嵌挿すると共に、エネルギー吸収ワイヤ７２のエネルギー吸収部７４をスプール１８に形成された挿込孔６４に挿し込む。この状態ではスプール１８に対してロックギヤ３４が略同軸となる。この状態でロックギヤ３４をスプール１８に接近させ、ロックギヤ３４の嵌挿部３６をスプール１８の嵌挿孔３８に嵌挿させる。
【００４９】
但し、この状態では、図２に示されるように位置決め孔１２２の中心軸線が位置決め突起１０２の中心軸線に対して巻取方向にずれている。このため、スプール１８にラチェット部４０を接近させると、位置決め突起１０２のテーパ部１０６は位置決め孔１２２におけるテーパ孔部１２６の内側に入り込むものの、位置決め孔１２２における孔部側誘導斜面１２８の巻取方向側の一部分が位置決め突起１０２における突起側誘導斜面１０８の巻取方向側の一部分に干渉する。
【００５０】
ここで、突起側誘導斜面１０８の孔部側誘導斜面１２８と接する部分はスプール１８からの位置決め突起１０２の突出方向に対して引出方向側へ傾斜しており、孔部側誘導斜面１２８の突起側誘導斜面１０８と接する部分はスプール１８側に対して巻取方向側へ傾斜している。このため、ロックギヤ３４をスプール１８の軸方向に沿ってスプール１８に接近させることで孔部側誘導斜面１２８が突起側誘導斜面１０８を押圧する押圧力の向きは引出方向へ傾斜する。したがって、孔部側誘導斜面１２８が突起側誘導斜面１０８から受ける反力（押圧反力）の向きは巻取方向に傾斜する。
【００５１】
これにより、ロックギヤ３４をスプール１８に接近させつつ、孔部側誘導斜面１２８を突起側誘導斜面１０８上で滑らせながらロックギヤ３４を引出方向へ回転させると、位置決め孔１２２の中心軸線が位置決め突起１０２の中心軸線に接近し、図４及び図５に示されるように、ロックギヤ３４がスプール１８に対する初期取付位置まで回転して位置決め孔１２２の中心軸線と位置決め突起１０２の中心軸線とが略一致すると、位置決め孔１２２の孔本体１２４内に位置決め突起１０２の突起本体１０４が嵌挿される。
【００５２】
さらに、上記のように、ロックギヤ３４を引出方向へ回転させると、被保持部７８と共に棒状部７６が引出方向に移動する。このように、棒状部７６が引出方向に移動すると、段部９８の角部がエネルギー吸収部７４に干渉し、段部９８の角部を支点にしてエネルギー吸収部７４が回動する。これにより、図５に示されるように、エネルギー吸収部７４と棒状部７６との連結部分にて撓みが生じると共に、段部９８よりも脚板１４側でエネルギー吸収部７４が挿込孔６４の内壁に圧接されてエネルギー吸収部７４が撓む。
【００５３】
このように、エネルギー吸収部７４が挿込孔６４の内壁に圧接されることで、挿込孔６４内にてエネルギー吸収部７４が不用意に変位することがなく、エネルギー吸収部７４の不用意な変位で挿込孔６４の内壁にエネルギー吸収部７４が衝突することに起因する異音の発生を防止できる。
【００５４】
また、このようにしてスプール１８にロックギヤ３４が組み付けられた状態で、エネルギー吸収部７４の撓みによる弾性力は、ロックギヤ３４を巻取方向に回転させようとする力にとして作用する。しかしながら、位置決め孔１２２の孔本体１２４に位置決め突起１０２の突起本体１０４が嵌挿されていることで、エネルギー吸収部７４の撓みによる弾性力でロックギヤ３４がスプール１８に対して不用意に巻取方向に回転することはない。
【００５５】
しかも、上記のように、エネルギー吸収部７４の撓みによる弾性力は、ロックギヤ３４を巻取方向に回転させようとする力にとして作用するものの、スプール１８の軸方向にロックギヤ３４をスプール１８から離間させる向きに作用することはない。このため、ロックギヤ３４が不用意にスプール１８から離間して外れたりすることを効果的に防止又は抑制できる。
【００５６】
（動作面での作用、効果）
次に、本ウェビング巻取装置１０の動作面での作用並びに効果について簡単に説明する。
【００５７】
以上のようなスプール１８に対するロックギヤ３４の組付工程を経て組み立てられたウェビング巻取装置１０では、ロックプレート４２のロック歯がラチェット部４０のラチェット歯に噛み合った状態でウェビング２０を引っ張ることでスプール１８に付与される引出方向への回転力が、トーションシャフト５４の機械的強度と、エネルギー吸収ワイヤ７２のエネルギー吸収部７４の機械的強度と、位置決め突起１０２の機械的強度との和を上回ると、先ず、位置決め突起１０２がせん断されてロックギヤ３４に対してスプール１８が引出方向に回転する。
【００５８】
このロックギヤ３４に対するスプール１８の引出方向への相対回転で、トーションシャフト５４の脚板１６の側に対して脚板１４の側が引出方向に捩じれるように塑性変形する。さらに、ロックギヤ３４に対してスプール１８が引出方向に相対回転すると、図６及び図７に示されるように、エネルギー吸収ワイヤ７２のエネルギー吸収部７４が挿込孔６４から抜け出る共に、挿込孔６４から抜け出たエネルギー吸収部７４が挿込孔６４の開口縁にしごかれると共に、収容孔６２における半径方向内側の内壁に圧接させられ、この内壁に倣って湾曲させられる。このようにして、ウェビング２０を引っ張る引っ張り力の一部がトーションシャフト５４での捩じり変形やエネルギー吸収部７４の変形に供されることで、ウェビング２０を引っ張る引っ張り力の一部を吸収できる。
【００５９】
なお、本実施の形態では、位置決め孔１２２の孔本体１２４に位置決め突起１０２の突起本体１０４を嵌挿していない状態で、係止孔９２にエネルギー吸収ワイヤ７２の被保持部７８を挿し込み、エネルギー吸収ワイヤ７２のエネルギー吸収部７４をスプール１８の挿込孔６４に挿し込んだ状態では、位置決め突起１０２の中心軸線に対して位置決め孔１２２の中心軸線が巻取方向側にずれると共に突起側誘導斜面１０８の引出方向側の一部と孔部側誘導斜面１２８の引出方向側の一部とがスプール１８の軸方向に対向する構成であった。上記の状態で位置決め突起１０２の中心軸線に対して位置決め孔１２２の中心軸線が引出方向側にずれると共に突起側誘導斜面１０８の巻取方向側の一部と孔部側誘導斜面１２８の巻取方向側の一部とがスプール１８の軸方向に対向する構成としてもよい。
【００６０】
また、位置決め孔１２２の孔本体１２４に位置決め突起１０２の突起本体１０４を嵌挿しない状態で係止孔９２にエネルギー吸収ワイヤ７２の被保持部７８を挿し込み、エネルギー吸収ワイヤ７２のエネルギー吸収部７４をスプール１８の挿込孔６４に挿し込んだ場合に、位置決め突起１０２の中心軸線に対して位置決め孔１２２の中心軸線がスプール１８の回転周方向にずれるような構成に本発明が限定されるものではなく、このような状態で位置決め突起１０２の中心軸線に対して位置決め孔１２２の中心軸線がスプール１８の回転半径方向にずれるような構成としてもよく、その一例を次の第２の実施の形態として説明する。
【００６１】
＜第２の実施の形態の構成＞
図８には第２の実施の形態に係るウェビング巻取装置１６０の構成の概略が、前記第１の実施の形態を説明するにあたって用いた図２に対応する側面図によりより示されている。
【００６２】
この図に示されるように、ウェビング巻取装置１６０はエネルギー吸収ワイヤ７２に代わりエネルギー吸収部材としてのエネルギー吸収ワイヤ１６２を備えている。図１１の（Ａ）及び（Ｂ）に示されるように、エネルギー吸収ワイヤ１６２は被保持部７８に代わる被保持部１６４を備えている。被保持部１６４は頭部８２に代わる頭部１６６を備えている。前記第１の実施の形態におけるエネルギー吸収ワイヤ７２の頭部８２は円板形状又は円柱形状であったが、エネルギー吸収ワイヤ１６２の頭部１６６は小径部８０の軸方向に見た形状が非円形の一態様である略小判形状とされている。
【００６３】
また、図１０に示されるように、エネルギー吸収ワイヤ１６２の被保持部１６４に対応してロックギヤ３４には係止孔９２に代わる係止孔１７２が形成されている。前記第１の実施の形態における係止孔９２は大径孔部９４の内周形状が円形であったが、係止孔１７２の大径孔部１７４は内周形状が頭部１６６の外周形状よりも僅かに大きな略小判形状とされている。エネルギー吸収ワイヤ１６２は頭部１６６が係止孔１７２の大径孔部１７４の内側に嵌挿されると、小径部８０の軸方向に対して直交する向きの変位が規制される。
【００６４】
ここで、図８に示されるように、本ウェビング巻取装置１６０は、スプール１８の嵌挿孔３８にロックギヤ３４の嵌挿部３６を嵌挿していない状態で、ロックギヤ３４の係止孔１７２にエネルギー吸収ワイヤ１６２の被保持部１６４を嵌挿して、エネルギー吸収ワイヤ１６２のエネルギー吸収部７４をスプール１８の挿込孔６４に挿し込むと、概ね挿込孔６４及びエネルギー吸収ワイヤ１６２の小径部８０の双方を中心軸とする軸周りにスプール１８の中心軸線に対してロックギヤ３４の中心軸線がずれるようにスプール１８における挿込孔６４、ラチェット部４０における係止孔１７２の形成位置や形状、更には、エネルギー吸収ワイヤ７２の頭部１６６の形成位置や形状等が設定されている。
【００６５】
＜第２の実施の形態の作用、効果＞
次に、第２の実施の形態の作用並びに効果について説明する。
【００６６】
本ウェビング巻取装置１６０においてスプール１８にロックギヤ３４を組み付けるに際しては、ロックギヤ３４に形成された係止孔１７２にエネルギー吸収ワイヤ１６２の被保持部７８を嵌挿すると共に、エネルギー吸収ワイヤ１６２のエネルギー吸収部７４をスプール１８に形成された挿込孔６４に挿し込む。この状態ではスプール１８の中心軸線に対してロックギヤ３４の中心軸線が、エネルギー吸収ワイヤ１６２のエネルギー吸収部７４及び小径部８０の双方を中心に所定角度ずれる。次いで、図９に示されるように、スプール１８の中心軸線とロックギヤ３４の中心軸線とが一致するまでエネルギー吸収ワイヤ１６２のエネルギー吸収部７４を中心にロックギヤ３４を回動させつつ、更に、小径部８０をその中心軸線周りに捩じるようにロックギヤ３４を回動させる。
【００６７】
ここで、前記第１の実施の形態におけるエネルギー吸収ワイヤ７２とは異なりエネルギー吸収ワイヤ１６２は頭部１６６の外周形状及び係止孔１７２の大径孔部１７４の内周形状が小判形状（非円形）とされ、これにより、エネルギー吸収ワイヤ１６２の小径部８０を中心としたロックギヤ３４に対するエネルギー吸収ワイヤ１６２の回動が規制される。このため、上記のようにロックギヤ３４が回動しても、頭部１６６に対する棒状部７６の向きが変わらない。このため、ロックギヤ３４が回動するころで挿込孔６４に挿し込まれたエネルギー吸収ワイヤ１６２のエネルギー吸収部７４は、段部９８側で挿込孔６４の内壁に圧接し、これにより、前記第１の実施の形態におけるエネルギー吸収ワイヤ７２のエネルギー吸収部７４と同様に挿込孔６４の内側で撓む。
【００６８】
このようにしてスプール１８の中心軸線とロックギヤ３４の中心軸線とが一致するまでロックギヤ３４を回動させた後、ロックギヤ３４の嵌挿部３６をスプール１８の嵌挿孔３８に嵌挿させることでスプール１８にロックギヤ３４が組み付けられる。
【００６９】
以上のように、本ウェビング巻取装置１６０でも挿込孔６４内でエネルギー吸収ワイヤ１６２のエネルギー吸収部７４が挿込孔６４の内壁に圧接されるので、挿込孔６４内にてエネルギー吸収部７４が不用意に変位することがなく、エネルギー吸収部７４の不用意な変位で挿込孔６４の内壁にエネルギー吸収部７４が衝突することに起因する異音の発生を防止できる。
【００７０】
また、本ウェビング巻取装置１６０では、スプール１８にロックギヤ３４が組み付けられた状態で、エネルギー吸収部７４の撓みによる弾性力は、エネルギー吸収ワイヤ７２を中心にロックギヤ３４を回転させようとする力にとして作用する。しかしながら、ロックギヤ３４の嵌挿部３６がスプール１８の嵌挿孔３８に嵌挿されていることで、エネルギー吸収部７４の撓みによる弾性力でロックギヤ３４がスプール１８に対して不用意に巻取方向に回転することはない。
【００７１】
しかも、上記のように、エネルギー吸収部７４の撓みによる弾性力は、スプール１８の軸方向にロックギヤ３４をスプール１８から離間させる向きに作用することはない。このため、ロックギヤ３４が不用意にスプール１８から離間して外れたりすることを効果的に防止又は抑制できる。
【符号の説明】
【００７２】
１０    ウェビング巻取装置
１８    スプール
２０    ウェビング
３４    ロックギヤ（回転体）
３６    嵌挿部（第２の実施の形態では規制手段を構成する凸部）
３８    嵌挿孔（第２の実施の形態では規制手段を構成する凹部）
７２    エネルギー吸収ワイヤ（エネルギー吸収部材）
７４    エネルギー吸収部
７８    被保持部
１０２    突起（凸部、規制手段）
１０８    突起側誘導斜面（誘導斜面）
１２２    位置決め孔（凹部、規制手段）
１２８    孔部側誘導斜面（誘導斜面）
１６０    ウェビング巻取装置
１６２    エネルギー吸収ワイヤ（エネルギー吸収部材）
１６４    被保持部
【図１】
0005518685.tif 000002
【図２】
0005518685.tif 000003
【図３】
0005518685.tif 000004
【図４】
0005518685.tif 000005
【図５】
0005518685.tif 000006
【図６】
0005518685.tif 000007
【図７】
0005518685.tif 000008
【図８】
0005518685.tif 000009
【図９】
0005518685.tif 000010
【図１０】
0005518685.tif 000011
【図１１】
0005518685.tif 000012